(57)【特許請求の範囲】
【請求項１】
幅方向の一側端縁には上方に突出した雌実部、他側端縁には下方に突出した雄実部を形成した長尺状の壁材と、壁材を係止する取付具と、雄雌連結構造を形成した長尺状の下地兼取付部材とからなり、取付具は略垂直平面状の固定片と、固定片の下端を外方に屈曲した底片と、底片の先端を上方に突出した側片と、底片と側片とからなる取付溝と、側片の先端を外方にＬ字状に屈曲した上側片と、側片と上側片とからなる係止片と嵌合溝と、底片の両端に傾斜して突出した２片の固定兼ガタツキ防止片とから形成したものであり、壁下地に下地兼取付部材を複数枚連結して固定具により固定し、取付具を下地兼取付部材上に複数個固定し、壁材の雄実部は取付具の取付溝に挿入して固定されていると共に、一部の壁材の雄実部あるいは雌実部の側端部は取付具の固定兼ガタツキ防止片に当接して取付具により固定されていることを特徴とする壁材の取付構造。
【発明の詳細な説明】
【技術分野】
【０００１】
本発明は壁材を直接、釘等の固定具で打設することなく、断熱性、防火性、防水性、施工性等に優れ、壁材を壁下地に簡単に施工できる壁材の取付構造に関するものである。
【背景技術】
【０００２】
一般に壁材、例えば表面材をセメントを主材とした窯業系の壁材を形成し、裏面に断熱性のあるサイディングを形成したものが数多く上市されている。そして、これらの壁材は壁下地に固定する際に、壁材が一体に形成されたサイディングを、固定具を釘等の固定具を介して取り付ける方法が採られている。（特許文献１〜３参照）。また、壁材を壁下地に固定する際に、係止片を形成した下地材に嵌合して取り付ける方法が採られている。（特許文献４参照）。さらに、防火下地材上に外装タイルをハット状のタイル固定部材を介して固定する構造体等もあった。（特許文献５参照）
【０００３】
【特許文献１】特開平８−３３３８６２号公報
【特許文献２】特開平１０−８８７７２号公報
【特許文献３】特開平１１−１３１７４６号公報
【特許文献４】特開平４−２６１９５８号公報
【特許文献５】特開平４−１０８９５１号公報
【発明の開示】
【発明が解決しようとする課題】
【０００４】
しかしながら、特許文献１〜３は壁材と下地となるサイディング材の一体化が接着材の接着強度、耐久性、耐候性の問題で難しく、剥落の危険性は免れないものであった。さらに、窯業系防火下地材上にタイル固定部材を固定し、タイル固定部材に外装タイルを嵌合して固定する構造であるが、嵌合が確実でなく、破損時に一気に破損したタイルが落下する危険性があった。また、特許文献４は下地材の横突条部に外装壁片をクリップを介して固定する構造であるが、タイルの成形精度とクリップの成形の関係で、ガタ付く危険性があった。さらに、特許文献５は外装タイルをハット状のタイル固定部材を介して固定する構造体であるが、目地部にモルタル等を形成する必要があり、形成しないとガタ付く危険性があった。
【課題を解決するための手段】
【０００５】
本発明はこのような課題を解決するために、幅方向の一側端縁には上方に突出した雌実部、他側端縁には下方に突出した雄実部を形成した長尺状の壁材と、壁材を係止する取付具と、雄雌連結構造を形成した長尺状の下地兼取付部材とからなり、取付具は略垂直平面状の固定片と、固定片の下端を外方に屈曲した底片と、底片の先端を上方に突出した側片と、底片と側片とからなる取付溝と、側片の先端を外方にＬ字状に屈曲した上側片と、側片と上側片とからなる係止片と嵌合溝と、底片の両端に傾斜して突出した２片の固定兼ガタツキ防止片とから形成したものであり、壁下地に下地兼取付部材を複数枚連結して固定具により固定し、取付具を下地兼取付部材上に複数個固定し、壁材の雄実部は取付具の取付溝に挿入して固定されていると共に、一部の壁材の雄実部あるいは雌実部の側端部は取付具の固定兼ガタツキ防止片に当接して取付具により固定されている壁材の取付構造を提供するものである。
【発明の効果】
【０００６】
上述したように本発明に係る壁材の取付構造によれば、（１）壁材を破損する危険性がない。（２）壁材の取付強度が強い。（３）施工後の壁材の安定感が増す。（４）施工後の壁材がガタ付かない。（５）縦張りとして施工が可能である。（６）断熱性がある壁体となる。等の特徴、効果がある。
【発明を実施するための最良の形態】
【０００７】
以下に図面を用いて、本発明に係る壁材の取付構造の一実施例について詳細に説明する。図１（ａ）〜（ｃ）〜図４は上記取付構造を説明する断面図、図５、図６は本発明に係る壁材の取付構造に使用する下地兼取付部材Ａを示す説明図、図７（ａ）〜（ｅ）〜図１０は取付具Ｆを示す説明図、図１１（ａ）、（ｂ）〜図１３（ａ）〜（ｇ）は壁材Ｂを示す説明図である。
【０００８】
下地兼取付部材Ａは後記する壁材Ｂの下地材として機能し、壁材Ｂと取付具Ｆの固定下地、断熱下地、防水下地、気密下地、防火下地、耐火下地、耐震下地、等として有用なもので、表面材Ｃ、芯材Ｄ、裏面材Ｅよりなるものである。表面材Ｃとしては、例えば図４、図５に示すように、カラー鋼板、アルミ・亜鉛合金メッキ鋼板、アルミニウム板、チタン板、ステンレス板、銅板、フッ素樹脂被覆鋼板、クラッド鋼板、ラミネート鋼板、制振鋼板等の金属薄板、等をロール成形、プレス成形したもの、あるいはアルミニウム合金、合成樹脂材、等を押出成形して長尺状に形成したものである。
【０００９】
芯材Ｄとしてはポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体、あるいは石膏ボード、セメント板、炭酸カルシウム板、珪酸カルシウム板、セラミック板、木片セメント板、炭酸マグネシウム板、シージングボード、シージングインシュレーションボード、合板、またはグラスウール、ロックウール、等の繊維系断熱材、等よりなるもの、さらにはこれらをカナッペ構造、サンドイッチ構造に形成した複合板、もしくはこれらをシートとカナッペ構造、サンドイッチ構造に形成した複合板、等の一種よりなるものである。
【００１０】
裏面材Ｅは金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００１１】
さらに詳説すると、下地兼取付部材Ａの形状は、垂直平面状の固定片部２と設置片部３よりなる固定部１と、上端の雌型連結部４と下端の雄型連結部５とから形成したものであり、固定部１は上端を内方に屈曲した上側壁６と略水平な下側壁７と上側壁６と下側壁７間を凹状にへこませた固定面８と、固定面８に形成した凹状に窪ませた固定部９と、下側壁７により形成された段差１０と、上側壁６により形成した載置部１１と、上側壁６と下側壁７と固定面８と固定部９と段差１０と載置部１１とから形成した取付下地部１２とから形成したものである。
【００１２】
雌型連結部４は、上端を上方に突出した差込片１３と、差込片１３の先端を内側方に屈曲した上面１４と、上面１４の先端を外側方へ突出した下面１５と、上面１４と下面１５とから形成した差込溝１６と、下面１５をさらに外側方へ突出した固定面１７と、固定面１７の先端を折り返した舌片１８とから形成したものである。雄型連結部５は、下端を内方に屈曲した下片１９と、下片１９の先端を内側方に突出した上片２０と、上片２０の先端を外側方に突出した係合片２１と、上片２０と係合片２１とから形成した係合溝２２と、係合溝２２の最奥に形成したパッキング材２３とから形成したものである。
【００１３】
雌型連結部４と雄型連結部５は図２（ａ）、（ｂ）に示すように連結されて固定面１７が固定具βにより壁下地αに固定されるものである。また、固定部９は後記する取付具Ｆを固定する際に固定具βにより壁下地αに固定されることにより、固定面１７の固定と共に、下地兼取付部材Ａがバタ付くことがなくなると共に、芯材Ｄとして合成樹脂発泡体等のプラスチックフォームを使用した場合には、芯材Ｄの経時的な変形が外観に現れるのを防止するものである。
【００１４】
載置部１１は後記する取付具Ｆの載置片３２を当接し、位置決めに使用するためのものである。
【００１５】
勿論、載置部１１の形成ピッチは壁材Ｂの働き幅と同じである。また、固定片部２と設置片部３の形成個数も任意である。
【００１６】
取付具Ｆは図７（ａ）〜（ｅ）（（ｂ）図は（ａ）図の断面図、（ｃ）図は（ａ）図の右側面図、（ｄ）図は（ａ）図の左側面図）、図８（ａ）〜（ｃ）に示すようなものであり、略垂直平面状の固定片２４と、固定片２４の下端を外方に屈曲した底片２５と、底片２５の先端を上方に突出した側片２６と、底片２５と側片２６とからなる取付溝２７と、側片２６の先端を外方にＬ字状に屈曲した上側片２８と、側片２６と上側片２８とからなる係止片２９と嵌合溝３０と、底片２５の両端に傾斜して突出した２片の固定兼ガタツキ防止片３１と、固定片２４の上端を内方に屈曲した載置片３２と、固定片２４の両端縁を外方に突出した嵩上げ片３３と、固定片２４に形成した固定用の固定孔３４とから形成したものである。なお、壁材Ｂを縦張りで形成する場合には、雌実部３６、雄実部３７の下端部を図１（ｂ）、（ｃ）、および図９、図１０に示すように固定するものであり、この場合には、図８（ａ）〜（ｃ）に示すように固定兼ガタツキ防止片３１を折り曲げ加工して取付具Ｆとするものである。
【００１７】
取付具Ｆの素材としては、主に金属製素材よりなり、例えば、カラー鋼板、アルミ・亜鉛合金メッキ鋼板、アルミニウム板、チタン板、ステンレス板、銅板、フッ素樹脂被覆鋼板、等の金属薄板、等をロール成形、プレス成形したもの、あるいはアルミニウム合金、合成樹脂材、等を押出成形して長尺状に形成したものである
【００１８】
取付具Ｆは後記する壁材Ｂを下地兼取付部材Ａ上に固定する部材であり、下地兼取付部材Ａの固定部９に固定片２４を当接し、左の壁材Ｂの右端部を嵌合溝３０により固定し、右の壁材Ｂの下端部を係止片２９により固定して、壁材Ｂを下地兼取付部材Ａ上に固定するものである。
【００１９】
固定兼ガタツキ防止片３１は、図１（ａ）、図３（ａ）、（ｂ）に示すように施工される際に、図３（ｂ）に示すように、右の壁材Ｂが矢印で示すように挿入され、壁材Ｂの下端部分３７ａがスプリングバック機能により弾性が付与された状態で施工されるために、常時取付具Ｆと壁材Ｂ間にスプリングバック機能が発揮され、施工強度が向上すると共に、壁材Ｂのガタツキが完全に排除されるものである。なお、図３（ｂ）では２片の固定兼ガタツキ防止片３１を変形させずに施工されているが、図８（ｂ）、（ｃ）に示すように、１片のみの固定兼ガタツキ防止片３１で形成し、一方の固定兼ガタツキ防止片３１は移動防止用に９０度で屈曲して壁材Ｂの端部に形成して施工される場合もあるものである。
【００２０】
載置片３２は下地兼取付部材Ａの載置部１１に当接されることにより、安定して取付具Ｆを固定できると共に、位置決め機能としても機能するものである。
【００２１】
嵩上げ片３３は下地兼取付部材Ａの固定部９と壁材Ｂの裏面間に空間が形成されないように設けたものである。
【００２２】
壁材Ｂは木板、あるいは硬質機材（例えば、タイル、セラミック板、あるいはセメント板、炭酸カルシウム板、珪酸カルシウム板、木片セメント板、炭酸マグネシウム板等、もしくはこれらにガラス繊維、ウィスカー、アラミド繊維、スチール繊維、炭素繊維、各種鉱物繊維、各種骨材等を混入したもの、等を押出成形、プレス成形、射出成形、抄造法、等によって成形した窯業系サイディング材、または各種繊維をクロス状、三次元状に織り、これにセメント、粘土等を含浸してパネル状に成形したものを乾燥、蒸気養生、焼成、等したもの）、さらには金属製パネル、金属製サイディング材（金属製表面材の裏面に合成樹脂発泡体等の芯材を積層した建材、金属製表面材と裏面材間に合成樹脂発泡体等の芯材をサンドイッチした建材、等）、合成樹脂板、等からなるものである。
【００２３】
壁材Ｂの一例としては図１１（ａ）、（ｂ）（斜視図）、図１２（ａ）〜（ｃ）（（ａ）図は断面図、（ｂ）図は拡大右側面図、（ｃ）図は拡大左側面図）、図１３(ａ)〜（ｇ）（（ａ）図は正面図、（ｂ）図は背面図、（ｃ）図は平面図、（ｄ）図は底面図、（ｅ）図は右側面図、（ｆ）図は左側面図、（ｇ）図は（ａ）図のａ−ａ線断面図）に示すようなものである。
【００２４】
さらに説明すると、壁材Ｂは長尺板状で表面の化粧面３５と、化粧面３５の幅方向上下端に相决り状の雌実部３６と雄実部３７を有し、かつ、雌実部３６には嵌合片３８、雄実部３７には係止溝３９を形成し、化粧面３５の長手方向の一端部には凹溝４０と上面４１と下面４２、他端には凸面４３と上溝４４と下溝４５を形成したものである。
【００２５】
嵌合片３８は取付具Ｆの嵌合溝３０に嵌合され、係止溝３９は取付具Ｆの係止片２１に係止されて固定されるものである。
【００２６】
壁材Ｂの左右端部は、凹溝４０と凸面４３、上面４１と上溝４４、下面４２と下溝４５、とが互いに挿入連結されて一体化するものである。
【００２７】
ここで、本発明に係る壁材の取付構造の施工方法について簡単に説明する。なお、この場合には壁材Ｂを縦張りで施工するとする。まず、図２（ａ）に示すように壁下地α上に下地兼取付部材Ａを固定具βを介して固定する。次に、図２（ｂ）に示すように、左の下地兼取付部材Ａの差込溝１６に右の下地兼取付部材Ａの差込片１３を挿入して嵌合し、下地兼取付部材Ａを壁下地α全面に施工する。
【００２８】
次に、図３（ａ）、（ｂ）に示すように、左の壁材Ｂの嵌合片３８を取付具Ｆの嵌合溝３０に挿入し、取付具Ｆの固定片２４を釘等の固定具βにより打設して壁下地αに下地兼取付部材Ａを介して固定することにより、左の壁材Ｂを固定する。次に、右の壁材Ｂの係止溝３９を左の壁材Ｂの嵌合片３８に挿入すると共に、取付具Ｆの係止片２９に係止し、右の壁材Ｂの左端部分を固定する。その後、右の壁材Ｂの右端部分を、前述のごとく順次施工することにより、図１〜図３に示すように施工するものである。勿論、１段目の壁材Ｂは図８（ａ）〜（ｃ）に示すような取付具Ｆにより、図１（ｂ）、（ｃ）、図９、図１０に示すように下端部が固定兼ガタツキ防止片３１により固定されて施工されるものであり、施工方向は右でも左でも良いものである。
【００２９】
また、壁材Ｂの左右端部（施工上は上下端部）は凹溝４０と凸面４３、上面４１と上溝４４、下面４２と下溝４５、とが互いに挿入連結されて一体化されるものである。
【００３０】
以上説明したのは、本発明に係る壁材の取付構造の一実施例にすぎず、図１４（ａ）〜（ｈ）〜図１６（ａ）、（ｂ）に示すように下地兼取付部材Ａを形成することができる。
【００３１】
すなわち、図１４（ａ）〜（ｈ）は下地兼取付部材Ａのその他の実施例を示す断面図である。
【００３２】
また、図１５（ａ）〜（ｅ）（（ｂ）図は（ａ）図の断面図、（ｃ）図は（ａ）図の右側面図、（ｄ）図は（ａ）図の左側面図、（ｅ）図は（ａ）図の部分断面図）は、取付具Ｆのその他の実施例を示すものであり、係止片２９に壁材Ｂの嵌合片３８を係止する複数個の突起４６を形成した取付具Ｆであり、壁材Ｂに取付具Ｆを嵌め込んだだけで突起４６が嵌合片３８にめり込んで壁材Ｂに取付具Ｆを一体化され、自重ではずれることがないために、施工性が格段に向上するものである。さらに、突起４６が面でなく点で嵌合片３８と接触するために、常時いずれかの突起４６と嵌合片３８が接触するために、ガタツキ防止にも役立つものである。なお、この場合には、壁材Ｂの嵌合片３８の厚さをＴ、取付具Ｆの嵌合溝３０の幅をｔとすると、Ｔ＜ｔ、Ｔ≒ｔの関係である。
【００３３】
さらに、図１６（ａ）、（ｂ）は壁材Ｂのその他の実施例を示す斜視図であり、左右端部の形状を左右逆に形成した壁材Ｂである。
【００３４】
以上、壁材Ｂを縦張りで施工する取付構造について説明したが、発明に係る壁材の取付構造においては、壁材Ｂを横張りで施工する取付構造とすることも可能である。
【図面の簡単な説明】
【００３５】
【図１】本発明に係る壁材の取付構造の施工状態の代表例を示す断面図である。
【図２】本発明に係る壁材の取付構造の施工状態の代表例を示す断面図である。
【図３】本発明に係る壁材の取付構造の施工状態の代表例を示す断面図である。
【図４】本発明に係る壁材の取付構造の施工状態の代表例を示す断面図である。
【図５】本発明に係る壁材の取付構造に使用する下地兼取付部材の代表例を示す説明図である。
【図６】本発明に係る壁材の取付構造に使用する下地兼取付部材の代表例を示す説明図である。
【図７】本発明に係る壁材の取付構造に使用する取付具の代表例を示す説明図である。
【図８】本発明に係る壁材の取付構造に使用する取付具の代表例を示す説明図である。
【図９】本発明に係る壁材の取付構造に使用する取付具の代表例を示す説明図である。
【図１０】本発明に係る壁材の取付構造に使用する取付具の代表例を示す説明図である。
【図１１】本発明に係る壁材の取付構造に使用する壁材の代表例を示す説明図である。
【図１２】本発明に係る壁材の取付構造に使用する壁材の代表例を示す説明図である。
【図１３】本発明に係る壁材の取付構造に使用する壁材の代表例を示す説明図である。
【図１４】本発明に係る壁材の取付構造に使用する下地兼取付部材のその他の実施例を示す説明図である。
【図１５】本発明に係る壁材の取付構造に使用する取付具のその他の実施例を示す説明図である。
【図１６】本発明に係る壁材の取付構造に使用する壁材のその他の実施例を示す説明図である。
【符号の説明】
【００３６】
Ａ  下地兼取付部材
Ｂ  壁材
Ｃ  表面材
Ｄ  芯材
Ｅ  裏面材
Ｆ  取付具
α  壁下地
β  固定具
１  防水部
２  固定片部
３  設置片
４  雌型連結部
５  雄型連結部
６  上側壁
７  下側壁
８  固定面
９  固定部
１０  段差
１１  載置部
１２  取付下地部
１３  差込片
１４  上面
１５  下面
１６  差込溝
１７  固定面
１８  舌片
１９  下片
２０  上片
２１  係合片
２２  係合溝
２３  パッキング材
２４  固定片
２５  底片
２６  側片
２７  取付溝
２８  上側片
２９  係止片
３０  嵌合溝
３１  固定兼ガタツキ防止片
３２  載置片
３３  嵩上げ片
３４  固定孔
３５  化粧面
３６  雌実部
３７  雄実部
３７ａ  下端部分
３８  嵌合片
３９  係止溝
４０  凹溝
４１  上面
４２  下面
４３  凸面
４４  上溝
４５  下溝
４６  突起
【図１】
0004790426.tif 000002
【図２】
0004790426.tif 000003
【図３】
0004790426.tif 000004
【図４】
0004790426.tif 000005
【図５】
0004790426.tif 000006
【図６】
0004790426.tif 000007
【図７】
0004790426.tif 000008
【図８】
0004790426.tif 000009
【図９】
0004790426.tif 000010
【図１０】
0004790426.tif 000011
【図１１】
0004790426.tif 000012
【図１２】
0004790426.tif 000013
【図１３】
0004790426.tif 000014
【図１４】
0004790426.tif 000015
【図１５】
0004790426.tif 000016
【図１６】
0004790426.tif 000017